(57)【要約】【課題】一般的な木造住宅の建築物は、昔ながらの複雑な継ぎ手や仕口があり、多くの構造部材や建築金物を多用して、災害に強い建築物を造るために建築の技術者や技能者、工務店などの方々も含めて安全で快適な住宅を求めるために努力しておられる。【解決手段】  １０の基本部材を形成し、その部材同士を組み合わせて構造体を作るために、継ぎ手や仕口など全ての接合部を簡易な構造に加工して加工済みとする、木造の住宅や、離れ、山小屋や山荘、など自然災害時仮設住宅としても使用可能な建物で、組立てたり解体することも容易で廃棄物のでない構造である。個人が楽しみながら組み立てる事の出来る、組立式木造住宅の、バリアフリー耐震構造住宅の部材を提供する。【選択図】図１
2008115679.tif 000002
【特許請求の範囲】
【請求項１】
１０の基本部材ＡからＪを使用して加工した組立部材により、組立てられる木造住宅であって、部材Ａは桁、側梁、中梁、母屋、棟木に使用し、部材Ｂは土台、通し柱、隅柱、管柱、小屋束に使用し、部材Ｃは屋根板に使用し、部材Ｄは床板、内装壁仕上げ材、破風板、鼻隠し材に使用し、部材Ｅは外装材に使用し、部材Ｆは外装見切り材（大）に使用し、部材Ｇは外装見切り材（小）、窓枠材、額縁材、板掛け、寄幅木に使用し、部材Ｈは間柱、壁下地材に使用し、部材Ｉは窓台、鴨居、戸当り材、床根太、上り框に使用し、部材Ｊは広小舞、登り座、棟下地材に使用する構成であって、その部材同士を組み合わせて構造体を造るために、部材の継ぎ手や仕口など全ての結合部を簡易な構造に加工して加工済みとする構造を特徴とする、組立式木造住宅の構造部材。
【請求項２】
構成は、土台を基礎上に水平に横設し既設のアンカーボルトと土台を結合する、通し柱や隅柱の下端は基礎上まで伸ばして立設し、その下側面に設けている通し柱や隅柱の仕口
2008115679.tif 000020
本ずつ捻じ込み、土台と通し柱や隅柱を結合する、管柱は土台の上面から下面まで貫通さ
2008115679.tif 000021
１本ずつ捻じ込み土台と管柱を結合する、通し柱や隅柱、管柱を垂直に連設させた部材の
2008115679.tif 000022
スを１本ずつ捻じ込み、横架材と各柱を結合する構造を特徴とする、請求項１記載の組立式木造住宅の構造部材。
【請求項３】
2008115679.tif 000023
に向けてビスを２本ずつ捻じ込み通し柱と中梁を結合する、側梁や中梁を設置したらその
2008115679.tif 000024
じ込み、小屋束と母屋や棟木を結合する、以上で主要構造部材が結合一体となり上棟と成る構造を特徴とする、請求項１〜２記載の組立式木造住宅の構造部材。
【請求項４】
各部材を組み終えたら、土台の側面に設けているボルト孔に六角ボルトを挿入して接合し、座金とナットを入れ土台と土台を結合する、次に土台の下面から桁や側梁、中梁上面まで、中梁下面から母屋や棟木上面まで、各部材に設けているボルト孔に、六角ボルトを挿入して接合し、座金とナットを入れて土台と桁や側梁、中梁と母屋や棟木を結合する、次に柱と柱の間の開口部以外の内装壁仕上げ材を取り付ける箇所にも、柱に設けているボルト孔に六角ボルトを挿入して接合し、各、スパンごとに座金とナットも挿入して結合する、この簡易な構造で主要構造部材がボルトを概して一体と成る構造を特徴とする、請求項１〜３記載の組立式木造住宅の構造部材。
【請求項５】
部材Ｃは平板な屋根板で板の両傍に本実加工を施し、桁や母屋、棟木の上面の木返り削り加工を施している上面に取り付け、ビスで結合する、部材Ｄは平板な床板と内装壁仕上げ材と破風板と鼻隠し材の４種類で床板の厚さは３０ミリ、両傍に本実加工を施していて床根太の上面に取り付けビスで結合する、内装壁仕上げ材も平板な板で両傍に本実加工を施し、柱と柱の内面より４０ミリ中に入った所に立設する壁下地材や間柱に横張として取り付け、ビスで結合する、破風板は桁や母屋、棟木の小口の面に取り付けビスで結合する、鼻隠し材は軒先に取り付ける雨樋の取付け補強材で、屋根板下側に取付け屋根板上から貫通させたビスで屋根板と鼻隠し材を結合する、部材Ｅも平板な外装材で横張とし、板の上傍面には目通し本実加工を施し、下傍面には溝加工を施している、基礎上側面の水切り材の上面から上方向に向けて、土台や柱、間柱の外面に取り付け、ビスで結合する、部材Ｆは外装見切り材（大）で横張している外装材の木口の端に縦張りで隅柱に取り付け、ビスで結合する、部材Ｇは前記外装見切り材（小）と共に窓枠材や額縁材、寄幅木、板掛けの５種類で柱や窓枠材や、額縁材の窓回りから雨滴が室内に侵入しないように取り付け、ビスで結合する、寄幅木や板掛けは床板の下傍に取り付ける部材でビスで結合する、部材Ｈは柱の側面に間柱や壁下地材として柱や横架材に取り付け、ビスで結合する、部材Ｉは窓台や、鴨居、戸当り材、床根太、上がり框の５種類で取付け仕口の切り欠き位置に、ビスで結合する、部材Ｊは平板な薄板で屋根板の上面に敷設する断熱防音材やルーフイングがはみ出ないように、屋根板の上端部に取り付ける広小舞や登り座、棟下地材の３種類をビスで取付け結合する。以上のごとく構成された構造を特徴とする、請求項２〜４記載の組立式木造住宅の構造部材。
【発明の詳細な説明】
【技術分野】
【０００１】  本発明は組立式木造住宅の構造部材に関する。
【背景技術】
【０００２】  従来の木造建築物は、昔ながらの複雑な継ぎ手や仕口があり又、木材その物の性質を熟知していなければ良い建物が出来なかった、そのために建築の技術者や熟練した技能者が必要であり多くの工作機械や仮設材、建て上げるときに木材を吊り上げて、定位置に納めるために必要なクレーン車、運搬具など必要となり個人が１人で建物を建てようと思っても不可能であった、専門の施工業者にお願いして計画や設計、設備機器の性能などを尋ねても分かり難く業者の説明のままに建物が出来あがってしまう時代である、今日では自然災害に勝るようにと言って筋かいプレートや角金物、ホールダウン金物など建築構造金物を多用している、金物を多用すると冬期室内の暖房により壁体内や天井裏、屋根裏など寒暖の差の激しい場所で金物に結露が必ず生じる、水分があると鉄は経年変化で錆びる、錆びに湿気が付くと木材も侵食される、況してや海を渡って入荷される外国産材は、塩分を多く含んでいると思われ、入荷する度に害虫などの消毒もしなければならない、そのような外国産材を製材した製品は別として、端材や製材屑は消毒まみれになっていて、昆虫やその幼虫も育たない、（国内産材の大鋸屑では育つ、）人体や環境に悪影響を与えているのではないかと思う、下記の特許文献に開示してある構造でも、暴風雨や豪雨で雨滴が室内に侵入するのを防げるのでしょうか、従来技術として、出願されている（例えば、特許文献１、２参照。）。
【特許文献１】  実開昭５５−１５６１０１号公報
【特許文献２】  特開２００３−２３９４４１号公報
【非特許文献１】  《住宅金融公庫基準適合仕様確認書付き》木造住宅工事共通仕様書（解説付き）建築主用、平成１５年改訂２００３年（全国版）Ｐ・４８〜７６
【発明の開示】
【発明が解決しようとする課題】
【０００３】  安価で狂いの少ない綺麗な杢目の外国産材に追われて、国内の多くの木材市場に国内産材の木材の入荷がなく市が開けず閉鎖を余儀無くする中で、疲弊する日本国内の森林、林業を活性化させる為、何をしなければならないか考えてみた。日本の山林は１０００万ヘクタールを越えて世界一、間伐対象森林の蓄積量は４５年生以下の木材で４０億立方メートル以上ある（杉、桧材）然し建築関連に消費している日本国内産の木材の使用量は２パーセント、他の９８パーセントが外国産材である、個人の山を持っておられる方達も山林の手入をするにも費用対効果は少ない、手入れをしないから冬期の風雪で枝や幹などが折れたり曲がったり、節だらけの最低ランクの並材ばかり、木材価格も低迷していて上昇の気配も見えないこの頃である、春になれば杉や桧の花粉が舞い多くの国民の方々が目や呼吸器に異常をきたし医療費が膨らむ、秋になれば鳥獣が荒れた山林でなく、人里近くで食べ物を求めて田畑を荒らす、熊も人家に入って来て冷蔵庫まで漁る時代である、この様な事態を早急に改善しなけれげならない、本発明は上記課題の解決を最終目的としている。
【課題を解決するための手段】
【０００４】  本発明は上記目的を達成するために以下の構成を採用した、日本国内の森林、林業を活性化させる為に、伐採する杉や桧材、間伐をする杉や桧材、その他の木材も含めて個人が容易に組み立てることの出来る木造住宅の構造部材を形成し、木材の水分、含水率も１７パーセント以下に定め、木材の木痩せ、割れ、反り、捩じれなどが生じないよう安定させた木材で、一般的な住宅の構造部材を１０の基本部材に集約し、その部材同士を組み合わせて構造体を造るために、部材の継ぎ手や仕口など全ての接合部を簡易な構造に加工して、加工済みとする、組立式木造住宅の構造部材を造る。【０００５】  構成は、土台を基礎上に水平に横設し既設のアンカーボルトと土台を結合する、通し柱や隅柱の下端は基礎上まで伸ばして立設し、その下側面に設けている通し柱や隅柱の仕口
2008115679.tif 000003
本ずつ捻じ込み、土台と通し柱や隅柱を結合する、管柱は土台の上面から下面まで貫通さ
2008115679.tif 000004
１本ずつ捻じ込み、土台と管柱を結合する。【０００６】
2008115679.tif 000005
けてビスを２本ずつ捻じ込み通し柱と中梁を結合する。【０００７】
2008115679.tif 000006
ビスを１本ずつ捻じ込み小屋束と母屋や棟木を結合する、以上で主要構造部材が結合一体と成り上棟と成る。【０００８】  各部材を組み終えたら、土台の側面に設けているボルト孔に六角ボルトを挿入して接合し、座金とナットを入れて土台と土台を結合する、次に土台の下面から桁や側梁、中梁の上面までと、中梁下面から母屋や棟木の上面まで、各部材に設けているボルト孔に、六角ボルトを挿入して接合し、座金とナットを入れて土台と桁や側梁、中梁と母屋や棟木を結合する、次に柱と柱の間の開口部以外の内装仕上げ材を取り付ける箇所にも、柱に設けているボルト孔に六角ボルトを挿入して、各スパンごとに座金とナットを入れ結合する、この簡易な構造で主要構造部材がボルトを概して一体と成る。【０００９】  地震に対する建物構造の構成は、内装壁仕上げ材を柱と柱の間に嵌め込み、内装下地材や間柱にビスで取り付け、柱の室内面より１０ミリ中に入って内装壁仕上げ面となる、両傍に本実加工を施していろ内装壁仕上げ材の板厚は３０ミリで横張りとする、内装仕上げ材を張り終えたら柱に設けているボルト孔に六角ボルトを挿入し座金やナットを入れ完全に締め付けて、柱と内装壁仕上げの間に隙間が出ないようにする、この構造により柱と柱、土台と横架材の間に厚さ３０ミリの内装壁仕上げ材を挟んで、外装材も２５ミリの板厚で柱や間柱に直接ビスで取り付けて、外装見切り材や額縁材で外装材を挟み込む構造と成る。
【発明の効果】
【００１０】  隅柱や通し柱の下端は基礎上まで伸ばして立設し、その下側面に設けている柱の仕口に
2008115679.tif 000007
【００１１】  屋根板は板厚が４０ミリで板の両傍に本実加工を施し、桁や母屋、棟木の上面に設けている木返り削り加工の上面にビスで取り付けて結合する、本実加工を施している屋根板は暴風や地震のとき、水平力に対し本実の実矧加工が厚板だから、摩擦抵抗を生み、屋根板同士がずれない効果を発揮すると共に建物の捩じれなどにも抵抗する、又本実加工のため、屋根板上面に懸かる荷重（屋根仕上げ材、瓦や積雪など、）を屋根板が総持ちで支え、局部が撓んだり板同士が目違いにならない効果も発揮する。【００１２】  内装壁仕上げ材も板の両傍に本実加工を施し、柱と柱の間に柱の内面より４０ミリ中側に入りた所に立設する壁下地材や間柱に横張りとして本実を入れ込みながらビスで結合し土台の下面から桁や側梁、中梁の上面までと、中梁下面から母屋や棟木の上面まで、ボルト孔に六角ボルトを挿入し座金とナットを入れ結合する、これで主要構造部材が全て六角ボルトで結合一体となり、建物は暴風や地震の時の揺れに対し内装仕上げ材の木口の面と柱の側面が結合一体となって、１枚の板のようになり抵抗力を発揮する効果を有すると共に、外装材も２５ミリの厚板で目通し本実加工を施しているので、外装材自体も、柱に取り付けている外装見切り月や、窓枠材、額縁材の間に挿入して取り付けるから内装壁仕上げ材と共に二重の板材が建物の揺れに対し限りなき強靭な耐力壁となる効果を発揮する。【００１３】
2008115679.tif 000008
切れる）、構造金物やボルトなどは引張力には強いが圧縮力には弱い（折れ曲がる、外れる、離れる）、この材質を利用して相乗効果を有効に発揮させれば利用価値も高まる、六角ボル
2008115679.tif 000009
【発明を実施すための最良の形態】
【００１４】  以下、本発明の実施の形態について説明する、個人が容易に組立てることの出来る、組立式木造住宅の部材は、図１に示す通り１０の基本部材を造り、その部材の継ぎ手や仕口など全ての結合部を簡易な構造に加工して加工済みとする、部材Ａは桁、側梁、中梁、母屋、棟木に使用し、部材Ｂは土台、隅柱、通し柱、管柱、小屋束に使用し、部材Ｃは屋根板に使用する。土台１は基礎上に水平に横設し、既設のアンカーボルト２と結合する、通し柱５隅柱６の下端は基礎上まで伸ばして立設し、その下側面に設けている柱の仕口１１に土
2008115679.tif 000010
１本捻じ込み土台と通し柱や隅柱を結合する、管柱７は土台の上面から下面まで貫通させ
2008115679.tif 000011
１０に１本捻じ込み土台と管柱を結合する。
【００１５】
2008115679.tif 000012
2008115679.tif 000013
【００１６】  各部材を組み終えたら土台の下面から桁や側梁、中梁の上面まで、中梁の下面から母屋や棟木の上面まで、各部材に設けているボルト孔４に六角ボルトを挿入し座金とナットを入れて結合する、次に柱と柱の開口部以外の内装壁仕上げ材１９を取り付ける部分にも、柱に設けているボルト孔に六角ボルトを挿入して各スパンごとに座金とナットをいれ結合する。
【００１７】  部材Ｃは平板な屋根板２４で両傍に本実加工を施し、桁や母屋、棟木の上面の木返り削り加工１８の上面にビスで結合する、部材Ｄは平板な内装壁仕上げ材１９で、板の両傍に本実加工を施し柱と柱の間に立設する間柱や内装壁下地材１７に横張りで取付けビスで結合する、部材Ｅも平板な外装材２０で横張りとし板の上傍面には、外側の雨滴の水切れが早くなるように、目通し本実加工を施し、下傍面には溝加工を施していて、外装材２０を外装水切り材４３の上面から上方に向かって取り付けビスで結合する。部材Ｆも平板な破風板２５と鼻隠し材２６で、破風板２５は暴風雨のとき雨滴が室内に入らないように遮る部材であり、桁や母屋、棟木の小口の端に取り付けて、ビスで結合する、鼻隠し材２６は屋根板下側の鼻先に取り付け、屋根板上からビスで屋根板を貫通させて鼻隠し材と結合する。
【００１８】  部材Ｇは外装建具や内装建具を支持補強する窓台２７や鴨居２８、戸当り材２９などと、床根太、上り框３１の５種類で取付け仕口の位置にビスで結合する、部材Ｈは柱の側面に壁下地材１７として間柱と共に横架材などの欠き込みにビスで結合する、部材Ｉは土台や柱に雨滴などが直接当らないよう外装見切り材２２，２３として柱にビスで結合する、部材Ｊは前記外装見切り材２２として窓枠材や額縁材３０を設けて、窓回りから雨滴が室内に侵入しないようにビスで結合する、部材Ｋは平板な薄板の広小舞３５や登り座３６で屋根板の上面に屋根防音用シージングボ−ド３９やアスファルトルーフイング４０などを敷設した時、端部が屋根板からはみ出さないように板止めとしてビスなどで取り付け結合する、Ｌは床見切り材３２で、内装壁仕上げ材と床仕上げ材の接合する部分にビスで取り付ける。その上でテラスやバルコニーなどを作ればログハウス調になり、内装壁仕上げ材や外装材に色々な装飾を取りつけて、塗装も家族と共に楽しみながら彩色できる、間取りは構造部材の組み合わせ範囲内で自分流の間取りが出来、純、地元国内産の杉や桧の無垢材でバリアフリー耐震構造住宅となる。
【実施例】
【００１９】  この組立式木造住宅の構造部材は建物の平面サイズを１メートル単位とする。（柱と柱の中心サイズ）木材の長さも１メートル単位とする、開口部の内法高さも２メートルとする床はバリアフリー構造とする、土台同士の継ぎ手はなく、通し柱や隅柱の下端は基礎上に
2008115679.tif 000014
の長さだけ挿入する、桁や母屋棟木の継ぎ手は柱の中芯上で、取っ付け芯継ぎとする、側
2008115679.tif 000015
雪が降り積もる寒冷地地域があり、建物の使用、用途により木材のサイズも変わる。建物の床面積は２０平方メートルから５０平方メートルまで、平屋建ての小住宅であるが室内もメートル単位だから、介護者や非介護者、車椅子を利用する人の為にも廊下やトイレの幅、浴室も広く設ける事が出来、内装壁仕上げ材が３０ミリの厚板だから手摺など、下地なしでどこにでも取付けできる。又、中梁の上面に床板を貼り付けたら多くの収納スペースが出来る、間仕切り建具も片引き戸で開口も広々としている、高齢者の方や障害の有る方でも楽に使用できる、屋根の勾配を急勾配にすれば屋根裏に小部屋や物置も出来、１階の２室は棟木までの高さが４メートル以上になるから吹き抜けのように感じる。この構造部材は、簡易な構造であり、六角ボルトや、座金、ナットと数種類のステンレスビスと釘、ＤＩＹで使用する道具類などがあれば個人が容易に楽しみながら組み立てて完成させる事が出来、解体しても廃棄物の出ない構造であり、再利用、再々利用も可能である。
【図面の簡単な説明】
【００２３】
【図１】  本発明の組立式木造住宅、１２の基本部材である。（長さは乱尺である。）
【図２】  本発明の構造部材で建築できる建物、４２平方メートルの平面図である。
【図３】  上記建物の結合ボルトの位置を示す南面の軸組み図である。
【図４】  上記建物の結合ボルトの位置を示す中通りの軸組み図である。
【図５】  土台と管柱である。
【図６】  土台と通し柱や隅柱の接合図である。
【図７】
2008115679.tif 000016
【図８】  桁である。
【図９】
2008115679.tif 000017
【図１０】  母屋や棟木である。
【図１１】  横架材と横架材の継ぎ手と柱の結合図である。
【図１２】  各要部縦断面斜視図である。
【図１３】  要部１部横断面図である。
【図１４】  建物の１部縦断面詳細図である。
【符号の説明】
【００２４】１．      土台、
２．      アンカーボルト孔、
３．      土台のホゾ孔、
４．      建物を結合する、ボルトの位置を示す図、
５．      通し柱
６．      隅柱
７．      管柱
2008115679.tif 000018
１０．    ビス孔、
１１．    通し柱や隅柱の仕口、
2008115679.tif 000019
１６．    横架材の継ぎ手（取っ付け芯継ぎ、）
１７．    内装壁下地材、
１８．    桁や母屋棟木の上面の小返り削り加工、
１９．    内装壁仕上げ材、
２０．    外装材、
２１．    外装断熱材、
２２．    外装見切り材（大）、
２３．    外装見切り材（小）、
２４．    屋根板    両傍に本実加工をしている、
２５．    破風板、
２６．    鼻隠し材、
２７．    窓台、
２８．    鴨居、
２９．    戸当り材、
３０．    額縁材、
３１．    上り框、
３２．    床見切り材、
３３．    床仕上げ材、
３４．    床下地断熱材、（スタイロフオーム）
３５．    広小舞、
３６．    登り座、
３７．    棟板下地材、
３８．    外装断熱材、
３９．    シージングボード、屋根防音用、
４０．    アスファルトルーフイング、屋根下地用、
４１．    屋根仕上げ材、（波板トタン、和瓦、洋瓦、スレートなど何でも可。）
４２．    棟被せ板、    （同  上）
４３．    けらば包み材、（同  上）
４４．    外装水切り材、（カラートタン製）
４５．    透湿防水シート、
４６．    アルミサッシ、枠、
４７．    網戸、
【図１】
2008115679.tif 000025
【図２】
2008115679.tif 000026
【図３】
2008115679.tif 000027
【図４】
2008115679.tif 000028
【図５】
2008115679.tif 000029
【図６】
2008115679.tif 000030
【図７】
2008115679.tif 000031
【図８】
2008115679.tif 000032
【図９】
2008115679.tif 000033
【図１０】
2008115679.tif 000034
【図１１】
2008115679.tif 000035
【図１２】
2008115679.tif 000036
【図１３】
2008115679.tif 000037
【図１４】
2008115679.tif 000038
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
複数の構成部材を、数種類の結合方法にて組立る組立式木造住宅において、構成部材３２のうちの土台と裄と側梁と中梁と母屋と棟木と通し柱と角柱と管柱と小屋束の１０部材を下記のように加工する。
2008115679.tif 000039
ける、
2008115679.tif 000040
３、桁と母屋と棟木同士の継手は柱の上面で突付け真継とし、その上面に木返り削り加工を施す、
2008115679.tif 000041
を設け側面にボルト孔を設ける、
2008115679.tif 000042
る、
そのことによって、個人でも木造住宅の建築を可能としたことを特徴とする、組立式木造住宅の構成部材。
【請求項２】
複数の構成部材と数種類の結合方法にて組立る組立式木造住宅において、結合方法として下記のように結合する。
１、土台を既設のアンカーボルトに挿入し結合する、
２、基礎上に横設した土台と土台の側面のボルト孔に長尺ボルトを挿入し土台と土台を結合する、
３、通し柱と角柱、管柱の柱間の各スパンごとにボルトを挿入し結合する、
４、土台と桁、土台と側梁、土台と中梁に長尺ボルトを挿入し結合する、
５、中梁と母屋、中梁と棟木にボルトを挿入し結合する、
2008115679.tif 000043
そのことによって、個人でも木造住宅の建築を可能としたことを特徴とする、請求項１記載の組立式木造住宅の構成部材。
【手続補正２】
【補正対象書類名】明細書
【補正対象項目名】全文
【補正方法】変更
【補正の内容】
【発明の詳細な説明】
【技術分野】
【０００１】  本発明は組立式木造住宅の構成部材に関する。
【背景技術】
【０００２】  従来の木造住宅建築物は、昔ながらの複雑な継手や仕口があり又、木材その物の性質を熟知していなければ良い建物が出来なかった、そのため建築の技術者や熟練した技能者が必要であり多くの工作機械や仮設材、建て上げるときに木材を吊り上げて、定位置に納めるために必要なクレーン車、運搬具など必要となり個人が建物を建てようと思っても不可能であった、専門の施工業者にお願いして計画や設計、設備機器の性能などを尋ねても分かり難く、業者の説明のままに建物が出来上がってしまう時代である、今日では自然災害に勝るようにと言って筋かいプレートや角金物、ホールダウン金物などを多用しているが、金物を多用すると冬期室内の暖房により壁体内や天井裏、屋根裏など外部と室内の寒暖の差の激しい場所で、金物に結露が生じ屋根裏から水滴が落ちる、水分があると金物は錆びるし湿気が多く付くと木材も湿気により腐食が生じる可能性がある、況してや海を渡って入荷される外国産材は、塩分を多く含んでいると思われ、入荷する度に害虫の消毒もしなければならない、そのような外国産材を製材した製品は別としても、端材や製材屑樹皮などを砕片にして処分する時，牛や豚、鶏などの排泄物処理に混入使用したり堆肥や腐葉土などにも利用していると、自然環境の悪化を招くのではないかと心配する、下記の特許文献に開示してある構造でも、自然災害に勝る構造なのでしょうか、従来技術として出願されている（例えば、特許文献１〜２、非特許文献１参照。）。
【特許文献１】  実開昭５５−１５６１０１号公報
【特許文献２】  特開２００３−２３９４４１号公報
【非特許文献１】  《住宅金融公庫基準適合仕様確認書付き》木造住宅工事  共通仕様書（解説付き）建築主用、平成１５年改訂２００３年（全国版）Ｐ・４２〜７６
【発明の開示】
【発明が解決しようとする課題】
【０００３】  安価で狂いの少ない綺麗な杢目の外国産材に追われて、国内の多くの木材市場に国内産木材の入荷がなく、市場が開けず閉鎖を余儀なくする中で、疲弊する日本国内の森林、林業を活性化させる為、何をしなければならないか考えてみた、日本の山林は１０００万ヘクタールを越えて世界一、間伐対象森林の蓄積量は４５年生以下の木材で４０億立方メートル以上ある（杉、桧材）然し建築関連に消費している日本国内産の木材使用量は２パーセント、他の９８パーセントが外国産材である、個人の山を所有しておられる農家や林家の方達も山林の手入れをするにも費用対効果は少ない、手入れをしないから冬期の風雪などで幹や枝が折れたり曲がったり、節だらけの最低ランクの並材ばかり、木材価格も低迷していて上昇の気配も見えないこの頃である、春になれば杉や桧の花粉が舞い多くの国民の方々が目や呼吸器に異常をきたし医療費が膨らむ、秋になれば鳥や獣が荒れた山林でなく、人里近くで食べ物を求めて田畑を荒らす、熊も人家に入ってきて冷蔵庫まで漁る時代である、このような事態を早急に改善しなければならない、又、林業が産業であるなら伐採したまま山林に放置しているのは産業廃棄物処理法に抵触するのではないかと思う、本発明は上記課題の解決を最終目的としている。
【課題を解決するための手段】
【０００４】  伐採して放置している木材や間伐材なども含めて、木造住宅の建築用材に国内産材を使用する、その為に複数の構成部材を造り、数種類の結合方法にて組立る組立式木造住宅において、構成部材のうちの土台と桁と側梁と中梁と母屋と棟木と通し柱と角柱と管柱と小屋束の１０の部材を次のように加工する。
2008115679.tif 000044
ス穴を設ける、
2008115679.tif 000045
３、桁と母屋と棟木同士の継手は柱の上面で突付け真継とし、その上面に木返り削り加工を施す、
2008115679.tif 000046
を設け側面にボルト孔を設ける、
2008115679.tif 000047
する、そのことによって個人でも木造住宅の建築を可能としたことを特徴とする、組立式木造住宅の構成部材。【０００５】  複数の構成部材と数種類の結合方法にて組立る組立式木造住宅において、結合方法として次のように結合する。
１、土台を既設のアンカーボルトに挿入し結合する、
２、基礎上に横設した土台と土台の側面のボルト孔に長尺ボルトを挿入し土台と土台を結合する、
３、通し柱と角柱、管柱の柱間の各スパンごとにボルトを挿入し結合する、
４、土台と桁、土台と側梁、土台と中梁に長尺ボルトを挿入し結合する、
５、中梁と母屋、中梁と棟木にボルトを挿入し結合する、
2008115679.tif 000048
そのことによって個人でも木造住宅の建築を可能としたことを特徴とする、請求項１記載の組立式木造住宅の構成部材。
【作用】
【０００６】
2008115679.tif 000049
打など、通し柱や角柱の下の土台部分が、孔だらけとなり建物や積雪の荷重で潰れたり地震などで裂けたりしていたが、通し柱や角柱の下端を布基礎上
2008115679.tif 000050
全ての建物荷重を土台でなく柱が直接支えることにより土台が柱の下面で潰れずに安定していて経年変化での床の撓みもなくなる。
【０００７】
2008115679.tif 000051
ボルトナットからなる結合方法にて、構成部材も加工して加工済みとしたことにより個人が容易に組立てることが可能であり、何人が組立てても同じ精度が保持できる組立式木造住宅の構成部材である。
【０００８】  簡易な構成であるため建築構造金物は使用せず、土台や柱同士、土台と桁、土台と側梁、土台と中梁、中梁と母屋、中梁と棟木の結合ボルト孔、ビス穴以外はなく、ボルト孔が木材の繊維の切断を最小限に留めるため、木材の耐力や耐久性も損なわれず建物の解体も容易で再使用、再々使用も可能で加工済みであるため廃棄物の出ない構成である。
【発明の効果】
【０００９】
2008115679.tif 000052
も倒れず柱１本だけでも立っている。
【００１０】
2008115679.tif 000053
直に建つ効果を有する。
【００１１】  厚さ３０ミリの内装壁仕上材を柱と柱の間に本実加工と共に嵌め込みながら、間柱や壁下地材にビスで取り付け結合する、柱と柱、土台と桁や側梁、土台と中梁、中梁と母屋や棟木のボルト孔にボルトを挿入し結合すると、３０ミリ厚の内装壁仕上材を挟んで１枚板のようになり耐力壁となる。
【００１２】  柱と壁仕上材の隙間も柱と柱に取り付け結合したボルトの働きにより、隙間が出なくなり建物も揺れない効果が有り、結合するボルトやナットが有効に働くから構成部材が引裂かれない限り建物は倒壊しない、万一ナットの捻子山部分がバカになってもナットは緩むがボルトから離れない効果がある、短尺金物は地震時によく外れたり木材を傷めることが多いいが、土台下から桁上や棟木上まで挿入した長尺ボルトが残りその上、土台や桁、側梁、中梁などの側面か
2008115679.tif 000054
い効果も有する、構成部材の飛散も少なく人命を保全する効果も有すると想定する。
【００１３】  厚さ２５ミリ、目通し本実加工を施した外装材を、柱や間柱、壁下地材の外側にビスで取付け結合する、外装見切材も窓枠材や額縁材と共に取り付け結合すると、建物が外部の風圧力に対してより以上の耐応摩擦力を発揮し、各部材の結合部も抵抗し合って建物の揺れも緩和され倒壊を防ぐ効果を有する。
【発明を実施するための最良の形態】
【００１４】  以下、本発明の実施の形態について説明する、１０の構成部材を３２に加工した組立部材により組立る木造住宅であって、組立部材の土台１は基礎上に水平に横設し、既設のアンカーボルト２と結合する、通し柱５や角柱６の下端は
2008115679.tif 000055
しビスで結合する。【００１５】
2008115679.tif 000056
【００１６】  各部材を組み終えたら土台の下面から桁や側梁、中梁上面まで、中梁下面から母屋や棟木上面まで、各部材に設けているボルト孔４にボルトを挿入し結合する、柱と柱の開口部以外の内装壁仕上げ材１９を取り付ける箇所にも、柱に設けているボルト孔４にボルトを挿入し各スパンごとに座金をナットを入れ結合する、平板な屋根板２４は両傍に本実加工を施し、桁や母屋、棟木上面の小返り削り加工１８の上面に安定させて本実を入れ込みながらビスで取付け結合する。【００１７】  平板な内装壁仕上げ材１９は、板の両傍に本実加工を施し柱と柱の間に立設する間柱や壁下地材１７に横張で取付けビスで結合する、平板な外装材２０は横張とし板の上傍面には外側の雨滴の水切れを速すため目通し本実加工を施し下傍面には溝加工を施している、土台の外側に外装水切材４２を取り付けたその上に雨滴が入らないよう防湿フイルムを貼り付けてから外装材を上方向に向けて取付けビスで結合する、平板な破風板２５と鼻隠し材２６は暴風雨の時雨滴が室内に入らないよう遮る部材であり、桁や母屋、棟木の小口の端に取付けビスで結合する、鼻隠し材も屋根板下側の鼻先に取り付け屋根板上からビスを貫通させて鼻隠し材と結合する。【００１８】  外装建具や内装建具を支持補強する窓台２７や鴨居２８、戸当り材２９、床根太３０、上り框３１は取付け仕口の位置にビスで結合する、柱の側面には内装壁下地材や間柱１７と共に桁や側梁などの欠込みにビスで結合し、土台や柱に雨滴などが直接当らないよう柱に防湿フイルムを直接貼り付け、その上に前記外装見切材と共に窓枠材や額縁材３０を設けて、窓廻りから雨滴が侵入しないようビスで取付け結合する、平板な薄板の広小舞３５や登り座３６は屋根板の上面に屋根防音用シージングボード３９やルーフイング４０など敷設した時、屋根板からはみ出ないよう板止めとして屋根板にビスで取付け結合する、寄幅木３２は、内装壁仕上げ材と床仕上げ材の接合部にビスで取り付け結合する、地元国内産の杉や桧の無垢材でバリアフリー耐震構造住宅と成る。
【実施例】
【００１９】  この組立式木造住宅の構成部材は、日本国内の杉や桧材を使用するために、木材の含水率を１８パーセント以下に定め、木材の木痩せ、割れ、反り、捩じれなどが生じないよう安定させた木材で、一般的な住宅の構成部材１０を半製品に加工して山林から搬出する、山林で半製品に製材するから枝葉や樹皮や製材屑はその山林に返す循環型とする。【００２０】  土の上で腐葉した端材や枝葉などは雨水を留め山林の養分と共に栗やどんり椎の実などの木の実や、他の多くの植物を育てる役目があり小川に溜まった枝葉や樹皮なども時期が来ると浮揚しながら河川に流れ海に出てプランクトンとなり、魚貝類や海草、藻類も育て近海の魚も育てる役目が自然界に備わっている、外国産木材の樹皮や端材では消毒しても残る害虫被害に対して、燃料を使いながら焼却処分にし、ＣＯ２を排出し公害を残して何も残らない。【００２１】  各製材工場では半製品を加工して３２部材を造り注文に応じて１棟１セットとして販売できる組立部材をつくる、建物の平面サイズを１メートル単位とし、開口部出入り口の内法高さを２メートルとする、床はバリアフリー構造とする、日本は温暖な地域と雪の降り積もる寒冷地地域があり、建物の使用用途により木材のサイズも替わる。【００２２】    建物の床面積も２０平方メートルからの平屋建てで４２平方メートルが標準の小住宅であり、室内も車椅子を使用する人のためにも廊下やトイレの幅、浴室も広く設けることが可能であり、内装壁仕上げ材が３０ミリの厚板だから手摺や吊戸棚など下地なしでどこにでも取付け出来る、耐震のため家具なども壁面に直接ビスで取り付け結合できる、間仕切建具も片引戸で開口も広々としていて高齢者の方や障害のある方でも楽に使用できる、ボルトや座金、ナットと数種類のステンレスビスとＤＩＹで使用する道具類があれば個人が容易に楽しみながら組立て完成させることが出来る。
【図面の簡単な説明】
【００２３】
【図１】本発明の木造住宅４２平方メートルの平面図である。
【図２】本発明の正面立面図である。
【図３】本発明の側面立面図である。
【図４】本発明の建物を結合するボルトの位置を示す土台伏図である。
【図５】本発明の建物を結合するボルトの位置を示す中梁伏図である。
【図６】本発明の建物を結合するボルトの位置を示す梁伏図である。
【図７】土台と管柱の結合図である。
【図８】通し柱や角柱と土台の結合図である。
【図９】
2008115679.tif 000057
【図１０】桁である。
【図１１】側梁や中梁である。
【図１２】母屋や棟木である。
【図１３】桁同士、母屋同士、棟木同士を柱の上面で突付け真継の結合である。
【図１４】土台と中梁、中梁と棟木、柱と柱を各スパンごとに結合するボルトの位置を示す軸組図である。
【図１５】土台と桁、柱と柱を各スパンごとに結合するボルトの位置を示す軸組図である。
【図１６】土台と側梁、柱と柱、小屋束と小屋束を各スパンごとに結合するボルトの位置を示す軸組図である。
【図１７】土台と中梁、柱と柱、小屋束と小屋束を各スパンごとに結合するボルトの位置を示す軸組図である。
【図１８】土台と側梁、柱と柱、小屋束と小屋束を各スパンごとに結合するボルトの位置を示す軸組図である。
【図１９】各要部縦断面斜視図である。
【図２０】建物の縦断面詳細図である。
【符号の説明】
【００２４】１．  土台、
２．  アンカーボルト孔、
2008115679.tif 000058
４．  建物を結合する、ボルト孔の位置を示す、
５．  通し柱
６．  隅柱
７．  管柱
2008115679.tif 000059
１０．  ビス孔、
１１．  通し柱や隅柱の下端である、
2008115679.tif 000060
１７．  内装壁下地材や間柱、
１８．  桁や母屋棟木の上面の小返り削り加工、
１９．  内装壁仕上げ材、
２０．  外装材、
2008115679.tif 000061
２２．  外装見切り材（大）、
２３．  外装見切り材（小）、
２４．  屋根板    両傍に本実加工をしている、
２５．  破風板、
２６．  鼻隠し材、
２７．  窓台、
２８．  鴨居、
２９．  戸当り材、
３０．  額縁材、
３１．  上り框、
３２．  寄幅木、
３３．  床仕上げ材、
３４．  床下地材、
３５．  広小舞、
３６．  登り座、
３７．  棟板下地材、
３８．  透湿防水シート
３９．  シージングボード、屋根防音用、
４０．  アスファルトルーフイング、屋根下地用、
４１．  屋根仕上げ材、波板トタン、（和瓦、洋瓦、スレートなど何でも可。）
４２．  外装水切り材、（カラートタン製）
【手続補正３】
【補正対象書類名】図面
【補正対象項目名】全図
【補正方法】変更
【補正の内容】
【図１】
2008115679.tif 000062
【図２】
2008115679.tif 000063
【図３】
2008115679.tif 000064
【図４】
2008115679.tif 000065
【図５】
2008115679.tif 000066
【図６】
2008115679.tif 000067
【図７】
2008115679.tif 000068
【図８】
2008115679.tif 000069
【図９】
2008115679.tif 000070
【図１０】
2008115679.tif 000071
【図１１】
2008115679.tif 000072
【図１２】
2008115679.tif 000073
【図１３】
2008115679.tif 000074
【図１４】
2008115679.tif 000075
【図１５】
2008115679.tif 000076
【図１６】
2008115679.tif 000077
【図１７】
2008115679.tif 000078
【図１８】
2008115679.tif 000079
【図１９】
2008115679.tif 000080
【図２０】
2008115679.tif 000081